(57)【要約】【課題】設置スペースを削減でき、設置部位に対する設計の自由度が高く、使い勝手の良いレイアウト及び形状を実現可能な車両の引出し式カップホルダーを提供する。【解決手段】車両室内の設置部位（１０）から引き出し可能に設けられ、飲料用容器が挿通可能な保持穴（１３）と前記飲料用容器の蓋を収容可能な蓋収容部（１４）とを設けたホルダープレート（１１）と、前記ホルダープレートに揺動可能に設けられ、前記ホルダープレートが引き出された状態で下方に揺動し、前記保持穴に挿通された前記飲料用容器の底部を支持可能な受け部材（１２）とを備えた引出し式カップホルダー（１）において、保持穴（１３）と蓋収容部（１４）とがホルダープレート（１１）の引出し方向に沿って配置され、かつ蓋収容部（１４）がホルダープレート（１１）の先端側に配置されている。【選択図】図２
2007191052.tif 000002
【特許請求の範囲】
【請求項１】
車両室内の設置部位から引き出し可能に設けられ、飲料用容器が挿通可能な保持穴と前記飲料用容器の蓋を収容可能な蓋収容部とを設けたホルダープレートと、前記ホルダープレートに揺動可能に設けられ、前記ホルダープレートが引き出された状態で下方に揺動し、前記保持穴に挿通された前記飲料用容器の底部を支持可能な受け部材とを備えた引出し式カップホルダーにおいて、前記保持穴と前記蓋収容部とが前記ホルダープレート引出し方向に沿って配置され、かつ前記蓋収容部が前記ホルダープレートの先端側に配置されていることを特徴とする車両の引出し式カップホルダー。
【請求項２】
前記前記蓋収容部が、前記ホルダープレートの先端側に向けて浅くなる底面を備えていることを特徴とする請求項１に記載の車両の引出し式カップホルダー。
【請求項３】
前記ホルダープレートの先端部には、前記ホルダープレートを収納状態で前記設置部位の意匠面を構成するリッドが設けられ、該リッドは、前記ホルダープレートの上面より上方に突出した縁部を備え、該縁部に沿って前記蓋収容部が配置されていることを特徴とする請求項１または２に記載の車両の引出し式カップホルダー。
【請求項４】
前記ホルダープレートと前記リッドとが別体からなり、前記蓋収容部の左右両側に、前記ホルダープレート上面の余白部分が配設され、該余白部分に前記リッドとの取付け部が設けられていることを特徴とする請求項１〜３のいずれか１項に記載の車両の引出し式カップホルダー。
【発明の詳細な説明】
【技術分野】
【０００１】
本発明は、車両の引出し式カップホルダーに関し、さらに詳しくは、ペットボトル等の飲料用容器の蓋を収容可能なスペースを設けたカップホルダーの構造に関する。
【背景技術】
【０００２】
車両のインストルメントパネルなどに、ペットボトル等の飲料用容器を保持するカップホルダーを設置することが行われている。汎用の別部品として後付される簡易型のカップホルダーに対して、車両に予め組み込まれるカップホルダーは、純正品としての利点を生かし、設置スペースを削減すべく非使用時に収納可能な引出し式で構成される。また、ペットボトル等の蓋付き飲料用容器が多数販売される現状に鑑み、取り外した蓋を一時的に収容する収容部を付設したカップホルダーが提案されている（特許文献１参照）。
【０００３】
このカップホルダーは、２本の飲料用容器を横に並べて保持可能とし、さらにそれらの中間部に蓋の収容部を配置しているため、必然的に大型化してしまい、引出し動作が緩慢になる虞があるとともに、設置部位に大きな設置スペースが必要となり、インストルメントパネル等で多数の部品を効率よくレイアウトする際の設計の自由度が阻害されることになる。また、保持穴に対して蓋の収容部が斜め前方に配置されているため、乗員と飲料用容器とのほぼ中間に蓋が収容されることになり、容器の取出し時に、容器が蓋に当たり蓋が落下する虞があり、これを防ぐために収容部内に蓋を嵌合して保持する突起等を設けることも記載されているが、この場合、衛生上の問題が懸念されるうえ、異なるサイズの蓋に対応できず、蓋が取出し難くなるという問題があった。
【０００４】
【特許文献１】特開２００５−２９０４７号公報
【発明の開示】
【発明が解決しようとする課題】
【０００５】
本発明はこのような実状に鑑みてなされたものであって、その目的は、設置スペースを削減でき、設置部位に対する設計の自由度が高く、使い勝手の良いレイアウト及び形状を実現可能な車両の引出し式カップホルダーを提供することにある。
【課題を解決するための手段】
【０００６】
上記従来技術の有する課題を解決するため、本発明は、車両室内の設置部位から引き出し可能に設けられ、飲料用容器が挿通可能な保持穴と前記飲料用容器の蓋を収容可能な蓋収容部とを設けたホルダープレートと、前記ホルダープレートに揺動可能に設けられ、前記ホルダープレートが引き出された状態で下方に揺動し、前記保持穴に挿通された前記飲料用容器の底部を支持可能な受け部材とを備えた引出し式カップホルダーにおいて、前記保持穴と前記蓋収容部とが前記ホルダープレート引出し方向に沿って配置され、かつ前記蓋収容部が前記ホルダープレートの先端側に配置されていることを特徴とする。
【０００７】
本発明において、前記前記蓋収容部が、前記ホルダープレートの先端側に向けて浅くなる底面を備えていることが好適である。
また本発明において、前記ホルダープレートの先端部には、前記ホルダープレートを収容した状態で前記設置部位の意匠面を構成するリッドが設けられ、該リッドは、前記ホルダープレートの上面より上方に突出した縁部を備え、該縁部に沿って前記蓋収容部が配置されていることが好適である。
さらに本発明において、前記ホルダープレートと前記リッドとが別体からなり、前記蓋収容部の左右両側に、前記ホルダープレート上面の余白部分が配設され、該余白部分に前記リッドとの取付け部が設けられていることが好適である。
【発明の効果】
【０００８】
本発明によれば、前記保持穴と前記蓋収容部とが前記ホルダープレート引出し方向に沿って配置され、かつ前記蓋収容部が前記ホルダープレートの先端側に配置されているので、蓋収容部を配設する上で、ホルダープレートの横幅を必要最小限に抑えることができ、周囲の部品レイアウトの自由度が増すとともに、蓋と比較して重量物である飲料用容器をホルダープレートの基端側で安定的に支持することができる。
【０００９】
また本発明の好適な態様では、前記前記蓋収容部が、前記ホルダープレートの先端側に向けて浅くなる底面を備えているので、ホルダープレート最前部（リッド）の裏面下側に、ホルダープレートを引出す際に手指を掛ける空間を確保でき、ホルダープレートを引出す操作性を阻害せずに蓋の置き場を確保できる。また、前記ホルダープレートの基端側では、蓋収容部に一定の深さが確保されるため、蓋の種類に拘わらず安定的な収容が可能である。
また、前記ホルダープレートの先端部には、前記ホルダープレートを収容した状態で前記設置部位の意匠面を構成するリッドが設けられ、該リッドは、前記ホルダープレートの上面より上方に突出した縁部を備え、該縁部に沿って前記蓋収容部が配置されている態様では、前記縁部が蓋の落下防止壁となり、滑り止めや嵌合部等の保持手段を追加することなく、蓋の保持能力を確保できる。
【００１０】
さらに、前記ホルダープレートと前記リッドとが別体からなり、前記蓋収容部の左右両側に、前記ホルダープレート上面の余白部分が配設され、該余白部分に前記リッドとの取付け部が設けられているので、前記余白部分にはホルダープレートの厚さ全体を利用して、係止爪や嵌合などの取付け部を配設でき、カップホルダーに手指を掛ける部分となるリッドの取り付け剛性を向上させることが可能である。
【発明を実施するための最良の形態】
【００１１】
以下、本発明の実施の形態について、図面を参照しながら詳細に説明する。
図１は、本発明の実施形態に係わるカップホルダー１を備えた自動車のインストルメントパネル１０を示す斜視図であり、図において、カップホルダー１は、インストルメントパネル１０の助手席側の端部近くに組み込まれ、その車幅方向中央側にはトレイ２が並設されている。
【００１２】
カップホルダー１およびトレイ２は、インストルメントパネル１０の高さ方向に対しては、ほぼ中間位置に配設され、それらの下方には収納スペースとしてグローブボックス３が配置されている。さらに、カップホルダー１の上方には空調ルーバー４が、トレイ２の上方にはアッパーボックス５が、それぞれ配設され、このような限られたスペースに配設するため、カップホルダー１は引出し式を採用している。
【００１３】
図２はカップホルダー１の使用状態（引出した状態）を示す斜視図であり、図３は収納状態における断面図、図５はその使用状態における断面図である。各図において、カップホルダー１は、グローブボックス３の空間の上部に図示しないガイドにより引き出し可能に支持されているホルダープレート１１と、該ホルダープレート１１に揺動可能に設けた受け部材１２とから主に構成されている。
【００１４】
ホルダープレート１１は略平板状に形成され、飲料用容器６を挿通可能な保持穴１３が穿設されている。保持穴１３の縁部には、アジャスタ１３ａが揺動自在に設けられ、該アジャスタ１３ａは図示しないスプリングにより保持穴１３内に突出する方向に付勢され、保持穴１３に小径の飲料用容器を保持可能である。
【００１５】
受け部材１２は、基端部１２ａにおいてホルダープレート１１に揺動可能に取り付けられ、ホルダープレート１１が引き出された状態で下方向に所定の角度だけ限定的に揺動するように構成され、先端部には、前記保持穴１３に挿通された飲料用容器の底部を載置して支持可能な平面１２ｂを備えている。
【００１６】
ホルダープレート１１の前記保持穴１３の先端側には、飲料用容器６の蓋６０を収容可能な蓋収容部１４が設けられている。蓋収容部１４は、上方が開口した凹形状に形成され、種々の大きさ形状の蓋に対応可能とするため、想定される最も大きい蓋を収容可能なサイズ大きさとし、特定の嵌合構造等は設けず、その平面形状も蓋６０を取り出し易いように横長の略四角形状としてある。但し、蓋収容部１４の底面は、後述の理由により、図４に示すようにホルダープレート１１の先端側１４ａが浅く基端側１４ｂが深い傾斜面をなしている。
【００１７】
さらに、ホルダープレート１１の先端部には、カップホルダー１を収納した状態でその表面を覆う意匠面となるリッド１５が設けられている。該リッド１５は、ホルダープレート１１の上面より上方に突出した縁部１５ａを備え、該縁部１５ａに沿って前記蓋収容部１４が配置される一方、下端の裏側は、カップホルダー１の引き出し操作を行う際に、手指を掛けるための指掛け部１５ｂを兼ねている。
【００１８】
上記実施形態のカップホルダー１は、設置部位における幅方向のスペースをできるだけ小さくするため、飲料用容器６を保持穴１３と蓋収容部１４とを、カップホルダー１の引出し方向に並べてレイアウトし、且つ蓋収容部１４をカップホルダー１の幅の範囲内に収まる位置形状としている。これにより、カップホルダー１の幅方向のスペースは、保持する飲料用容器６の幅（保持穴１３の幅）と、その両側のカップホルダー１の側壁の板厚とを加えた幅まで狭めることが可能となる。従って、カップホルダー１の横幅を最小限に抑え、その隣に設置されたトレイ２の横幅を最大限広く確保しつつ、効率的に蓋収容部１４を配置することができる。（図２）
【００１９】
また、上記に加え、飲料用容器６の保持穴１３がホルダープレート１１の基端側に、蓋収容部１４が先端側に配置されている。引出し式のカップホルダー１の場合、引き出した状態において、ホルダープレート１１の基部によってオーバーハング状態でカップホルダー１全体を支えている。従って、重量物である飲料用容器６を挿通する保持穴１３をホルダープレート１１の基部に近い側に配置し、重量が軽い蓋６０の収容部１４をホルダープレート１１の先端側に配置することにより、カップホルダー１の支持部への負担を軽くすることができるとともに、走行時の振動に対してカップホルダー１を安定させることができる。（図５）また、蓋収容部１４が乗員の手前側に配置されるため、サイズが小さい蓋６０が飲料用容器６の後側に隠れて、蓋６０の把持や載置が困難になるということがない。
【００２０】
さらに、カップホルダー１の引出し時のオーバーハングを最小限にするためには、上記のレイアウトにおいて、飲料用容器６の保持穴１３と蓋収容部１４はできるだけ小さくし、かつ、できるだけ近接して配置するのが好ましい。しかし、保持穴１や蓋収容部１４の大きさは、市販の飲料用容器６のサイズによってある程度定まるため、それぞれの構成部の距離をできるだけ接近して配置する必要がある。
【００２１】
このため、蓋収容部１４をリッド１５に接近して配置することが好適であるが、これらを単純に近接させた場合、リッド１５の裏面に位置した蓋収容部によって、手指の掛け代がふさがれ、カップホルダー１の操作性を低下させることになる。また、リッド１５を下方に拡張すれば、その分、カップホルダー１の下部に設置されたグローブボックス３の開口部が狭くなり、荷物の出し入れ等の利便性が悪化する。
【００２２】
しかるに、本実施形態のカップホルダー１では、カップホルダーの操作性を満足しつつ、グローブボックス等他の機能の利便性を犠牲にすることなく蓋の保持を可能とするため、図４に示すように、蓋収容部１４の底面を傾斜面とし、ホルダープレート１１の引出し方向の先端側１４ａを浅くしたことにより、蓋収容部１４をリッド１５に接近して配置しながらも、リッド１５の裏面下側に指掛け部１５ｂのスペースを確保している。
【００２３】
また、保持穴１３と蓋収容部１４とを近接して配置すると、飲料用容器６を持ち上げる時に蓋収容部１４に載置した蓋６０に飲料用容器６が当たり、蓋６０が落下する虞があるが、本実施形態のカップホルダー１では、蓋収容部１４の保持穴１３側（１４ｂ）の深さを深くすることにより、蓋６０の落下を防ぐことができる。
【００２４】
一方、蓋収容部１４の先端側１４ａを浅くすれば、その分、この部分での蓋６０のホールド性が低下する虞があるが、前述の通り、蓋収容部１４とリッド１５を近接して配置したことにより、蓋収容部１４の深さ（１４ａ）に加え、上方に突出したリッド１５の縁部１５ａが、蓋６０の落下防止壁となり、滑り止めや嵌合部等の保持手段を追加することなく、蓋の保持能力を確保できる。
【００２５】
尚、カップホルダーに関して、１つの保持穴１３に対し、最低1つの蓋がおけるスペースがあれば十分である。本発明においては種々の蓋の大きさに対応しつつ、蓋を一つおけるスペースを確保し、また前述の通り滑り止め部品等追加のためのスペースを必要としないため、蓋収容部１４の側方には余白部分１４ｃが存在する。（図２参照）これにより、走行時の振動や、置き間違いなどにより、蓋収容部１４から蓋が若干外れた場合でも、すぐに蓋６０が落下することが無い。また、指掛け部１５ｂとなるリッド１５には、カップホルダー１の引き出し操作時の引張力に耐え得る取付け剛性が求められるが、前記余白部分１４ｃを利用し、ここにリッド１５の取り付けのための係止爪等を配置することで、取り付け剛性を向上可能である。
【００２６】
また、図６に示すように、引出し式のカップホルダー１と、引出し式のトレイ２とを並設した場合、トレイ２の引出し量がカップホルダー１の引出し量と同等かまたはそれ以上であることが好ましい。更に、図示例のようにトレイ２にもカップホルダー１のリッド１５と同様のリッド２５を設けることが好ましい。これにより、蓋収容部１４に隣接してトレイ２の面が位置し、かつ、リッド１５，２５が連続して落下防止壁を構成するため、仮に蓋６０を置き損ねたり、取り損ねたりしても、該蓋６０をトレイ２の上に捕らえることができ、落下を防止できる。
【００２７】
さらに、図５に示すように、カップホルダー１の引出し量が、引出し状態で蓋収容部１４（またはリッド１５）の下方に前座席のシートクッション７の先端部が位置する設定であれば、万一、蓋６０を取り損ねて落下させてしまった場合にも、蓋６０がクッション７上に落下し、床への落下を防ぐことができる。尚、カップホルダー１の引出し量は、乗員の足元のスペースを考慮し、シートクッション７を最も前方にスライドさせた位置で蓋収容部１４と車両前後方向に重なる設定としても良い。
【００２８】
以上、本発明の実施の形態について、カップホルダー１をインストルメントパネル１０の助手席側の端部近くに組み込む場合を例にとり述べたが、本発明は上記実施形態に限定されるものではなく、カップホルダーは、インストルメントパネルの他の部位は勿論、車室内の任意の部位に設置可能であり、さらに、本発明の技術的思想に基づいて各種の変形および変更が可能であることを付言する。
【図面の簡単な説明】
【００２９】
【図１】本発明の実施形態に係るカップホルダーを備えた自動車のインストルメントパネルを示す斜視図である。
【図２】本発明の実施形態に係るカップホルダーの引出し状態を示す斜視図である。
【図３】本発明の実施形態に係るカップホルダーを示す縦断面図である。
【図４】本発明の実施形態に係るカップホルダーの蓋収容部付近を示す拡大断面図である。
【図５】本発明の実施形態に係るカップホルダーの使用状態を示す縦断面図である。
【図６】本発明の実施形態に係るカップホルダーおよびトレイの引出し状態を示す斜視図である。
【符号の説明】
【００３０】
１  カップホルダー
２  トレイ
３  グローブボックス
４  空調ルーバー
５  アッパーボックス
６  飲料用容器
１０  インストルメントパネル
１１  ホルダープレート
１２  受け部材
１３  保持穴
１４  蓋収容部
１５，２５  リッド
１５ａ  縁部
１５ｂ  指掛け部
６０  蓋
【図１】
2007191052.tif 000003
【図２】
2007191052.tif 000004
【図３】
2007191052.tif 000005
【図４】
2007191052.tif 000006
【図５】
2007191052.tif 000007
【図６】
2007191052.tif 000008